(57)【要約】      （修正有）【課題】押圧力が大きく、点穴精度が高く、位置調整が可能で、保健効果が良く、使いやすいマッサージ装置を提供する。【解決手段】人体の肩・背中１２・腰部を主動的に背板における１つのマッサージヘッドに押し付け、マッサージヘッドの反作用力で経穴を押圧し、揉むことを特徴とする自己マッサージ単点押し付けマッサージ装置であって、人体の背中１２の大きさの背板にＴ形溝を設け、Ｔ形溝の「￣」形溝部分が両肩の後部に対応し、「｜」形溝部分が脊柱に対応する。後端にねじ頭が付いているスクリューにばね及びパッキンを順につけてからＴ形溝を貫通し、スレッドヘッドがパッキンを挿通し、ばねが付勢されるまで蝶形ナットを捻じ込み、スクリューをパネルにしっかりと支える。蝶形ナットを捻じ込んだ後に露出するスレッドヘッドに、マッサージヘッド２として円錐形シリカゲルヘッドが取り付けられる。【選択図】図４
0003233723.tif 000002
【実用新案登録請求の範囲】
【請求項１】
背板に位置及び高さを調整できる１つ又は複数のマッサージヘッドを取り付け、その中の１つのマッサージヘッドを所望の位置まで調整した後固定し、人体の肩・背中・腰部により押し付けられ、マッサージヘッドの反作用力で対応する経穴を押圧することを特徴とする、マッサージ装置。
【請求項２】
背板部分が板状であるが、平板状のみに制限されず、人体の後部により押し付けられることを満たす対応する形状、及びマッサージヘッドを所望の位置まで調整した後で固定することを満たす対応する形状であることを特徴とする、請求項１に記載のマッサージ装置。
【請求項３】
移動可能なスクリュー部分である１つ又は複数のマッサージヘッドが取り付けられており、１つのマッサージヘッドに、必要に応じて様々な形状のマッサージ点、例えば２つの点（Ｙ型）又はより多い点及び扁形マッサージ点等を取り付けることができ、マッサージヘッドの高さが一定であってもよく、必要に応じて調整してもよいことを特徴とする、請求項１に記載のマッサージ装置。
【請求項４】
マッサージヘッドが固定されるものであってもよく、移動可能なものであってもよく、マッサージヘッドが作動時に固定状態であり、固定する位置が必要に応じて背板のトラックにおいて調整でき、マッサージ装置が作動時に、１つのマッサージヘッドが受動的に押し付けられ、ほかのマッサージヘッドをそばにスライドし放置したり、又は寝かせて収納したりすることができることを特徴とする、請求項１に記載のマッサージ装置。
【請求項５】
マッサージヘッドが背板において移動するトラックはＴ形であってもよく、マッサージヘッドが位置を調整することを満たす他の形状であってもよいことを特徴とする、請求項１に記載のマッサージ装置。
【請求項６】
マッサージヘッドが移動するトラックは溝式スライドレールであってもよく、他のスライドレールであってもよく、マッサージヘッドの背板における移動方式として、手でスライドさせてもよく、ギア又はチェーン等の他の伝動装置で伝動してもよく、マッサージヘッドの移動動力が手動であってもよく、電動等の他の動力であってもよいことを特徴とする、請求項１に記載のマッサージ装置。
【考案の詳細な説明】
【技術分野】
【０００１】
本考案は、主として肩・背中・腰部における自己マッサージに用いられるマッサージ装置に関する。人体の肩・背中・腰部が主動的にマッサージ装置におけるマッサージヘッドに押し付けて、マッサージヘッドの反作用力で人体の対応する経穴を押圧することを特徴とするマッサージ装置である。
【背景技術】
【０００２】
現在、体の肩・背中・腰部が主動的に押し付けて自己マッサージを行うマッサージ装置では、マッサージヘッドが多点マッサージヘッドである。この設計は以下の問題がある。１つ目はマッサージする力加減が理想的ではないことである。多点マッサージヘッドは人体の押し付け力を分散させ、押し付け点の反作用力が小さくなり、マッサージする力加減が理想的ではない。２つ目はマッサージ点の位置が正確ではないことである。それぞれの人の体型が異なるので、経穴の間隔も異なる。多点マッサージ器のマッサージヘッドの間隔が一定であるので、押される経穴のそれぞれは全て精確であるものではない。
【考案の概要】
【０００３】
前記課題を解決するために、本考案は、単点押し付け自己マッサージ装置を提供する。そのメリットとして、１つ目はマッサージの力がより大きいことである。このマッサージ装置が作動する場合に１つのマッサージヘッドのみで作動するので、人体による押し付け力が１点に集中し、押し付けの反作用力が多点押圧力より遥かに大きい。実施過程において、マッサージ実施者は、自分のマッサージ点のストレスの度合いに応じて、自ら押し付け力を調整することができる。２つ目はマッサージ点がより正確であることである。押し付けられるのは単独のマッサージヘッドであるので、マッサージ実施者は、自分の押圧の感覚に応じて、押圧する必要のある点位置をより正確に見つけることができる。３つ目は操作がより簡単であり、より広く用いられることである。本装置は、背中が軽く靠れて、ゆっくり体を揺らして点位置を捜し、感覚を見つければよい。本装置はソファーの背もたれ、ベッド上面に置かれて使用されてもよく、改造して座席の背もたれに取り付けられて、何もしないで座っている場合、仕事する場合、テレビを見る場合、停車する合間等に使用されてもよく、中高齢者及び事務員、運転手等の長座する人群れに広く適用される。
【０００４】
人体の背中の大きさの平板を背板として、背板にＴ形溝を開ける。大体の規格はＴ字中の「￣」形溝部分が人体の両肩の後部に対応し、「｜」形溝が脊柱部位に対応する。直径が溝に相当し、長さが適切であるスクリュー（前端はスレッドヘッドであり、後端はねじ頭である）を用いて、前端のスレッドヘッドにばねを付けてねじ頭に当接してから、パッキンを付けてばねの他端に靠れた後、背板のＴ形溝を貫通する。背板のＴ形溝の他方側を貫通したスレッドヘッドがパッキンを挿通してから、ばねが付勢されるまで蝶形ナットを捻じ込み、スクリューを背板にしっかりと支える。蝶形ナットを捻じ込んだ後に露出するスレッドヘッドに、マッサージヘッドとしてシリカゲルコーンヘッドが取り付けられる。蝶形ナットを捻じ、ばねを押さえたり引っ張ったりして、マッサージヘッドの背板に露出する高さを調整することができる。マッサージヘッド又は蝶形ナットを引き、ばねを圧縮し、スクリューを上下又は左右にスライドさせ、Ｔ形溝においてマッサージヘッドの背板における位置を調整することができる。
【考案の効果】
【０００５】
このマッサージ装置を椅子又はソファーの背もたれ、ベッド上面に置き、マッサージヘッドが人体の背中に向き、マッサージヘッド又は蝶形ナットを引き動かし、スクリューをスライドさせ、マッサージヘッドのＴ形溝における位置を調整し、人体が座ること、横になることによりマッサージヘッドを押し付け、対応する経穴を押圧し揉む。当該マッサージ装置は、同類製品のマッサージ点が多く、マッサージ点の位置における力が分散し、マッサージ点の位置が正確ではない等のデメリットを克服したものである。その特徴は以下の通りである。１、押圧力がより大きいこと。人体の肩・背中・腰の異なる要求に応じて、蝶形ナットを捩じ、マッサージヘッドの高さを調整し、最適な押圧の深さを達成させる。背中がマッサージ点に押し付けて、自分の触感に応じて自ら押し付け力を調整し、マッサージに必要である最適な忍耐力を達成する。２、点穴精度がより高いこと。押圧部位の痛み・ツッパリ感・痺れ等の感覚に応じて、体位を調整し、マッサージヘッドの体における点位置を微調整し、経穴を正確に見つけてマッサージすることができる。３、マッサージがより全面的であること。背板には、マッサージヘッドがＴ形溝においてスライドすることにより、肩・背中・腰等における経穴に達する対応する位置を調整して、その経穴をマッサージすることができる。４、保健効果がより良いこと。マッサージヘッドが反作用力を生成して経穴を押圧する同時に、体の微かな動揺により経穴を揉む必要があるので、体の微動過程で筋肉を運動させ、エネルギーが消耗され、脂肪が燃えた。５、より使用しやすいこと。本考案は座席、ベッド上面に置かれて使用されてもよく、直接椅子の背（ソファー、運転席）に設計し取り付けられてもよい。事務員、運転手及び肩・腰・背中に疲労、痛み、腫脹といった感じがする人群れに広く適用される。
【図面の簡単な説明】
【０００６】
以下に添付図面及び実施例を参照しながら、本考案をさらに説明する。
【図１】本考案の正面図である。
【図２】図１の側面図である。
【図３】図２の本体部位の拡大図である。
【図４】本考案の使用概略図である。
【考案を実施するための形態】
【０００７】
図１に示すように、背板１にＴ形溝３、４を開け、Ｔ形溝における任意の点にマッサージヘッド２を取り付ける。取り付け方法としては、図２、図３に示すように、後端にねじ頭７が付いているスクリュー６を用いて、スクリュー前端のスレッドヘッド１０にばね８を付けてねじ頭の内側に当接してから、パッキン１１を付けてばね８の他方側に靠れた後、スレッドヘッドにＴ形溝３、４における任意の１点を貫通させる。貫通したスレッドヘッド１０がパッキン１１を挿通し、その後、ばね８が付勢されるまで蝶形ナット５を捻じ込む。スクリュー６をパネルにしっかりと支え、蝶形ナット５を捻じ込んだ後に露出するスレッドヘッド１０の先端に、マッサージヘッド２として円錐形シリカゲルヘッドが取り付けられる。再び蝶形ナット５を回して、ばね８を押さえたり引っ張ったりして、マッサージヘッド２の背板に露出する高さを調整することができる。マッサージヘッド２又は蝶形ナット５を引き、ばね８を押さえ、Ｔ形溝３、４にスクリュー６をスライドさせ、スクリューのＴ形溝３、４における位置を調整することができる。取付終了後に、化粧背板９を追加して取り付け、美観性及び実用性を向上する。使用方法としては、当該装置を椅子の背又はベッド上面に置き、人体の背中１２により押し付けられ、微動し揉めばよい。
【符号の説明】
【０００８】
１    背板
２    マッサージヘッド
３、４    Ｔ形溝
５    蝶形ナット
６    スクリュー
７    ねじ頭
８    ばね
９    化粧背板
１０    スレッドヘッド
１１    パッキン
１２    人体の背中
【図１】
0003233723.tif 000003
【図２】
0003233723.tif 000004
【図３】
0003233723.tif 000005
【図４】
0003233723.tif 000006
【手続補正書】
【提出日】令和2年9月17日(2020.9.17)
【手続補正１】
【補正対象書類名】実用新案登録請求の範囲
【補正対象項目名】全文
【補正方法】変更
【補正の内容】
【実用新案登録請求の範囲】
【請求項１】
人体の背中の大きさの平板を背板として、背板にＴ形溝を開け、大体の規格はＴ字中の「￣」形溝部分が人体の両肩の後部に対応し、「｜」形溝が脊柱部位に対応し、直径が溝に相当し、長さが適切であるスクリューを用いて、前端のスレッドヘッドにばねを付けてねじ頭に当接してから、パッキンを付けてばねの他端に靠れた後、背板のＴ形溝を貫通し、背板のＴ形溝の他方側を貫通したスレッドヘッドがパッキンを挿通してから、ばねが付勢されるまで蝶形ナットを捻じ込み、スクリューをマッサージヘッドとして背板にしっかりと支える単点押し付けマッサージ装置であって、
蝶形ナットを捻じ、ばねを押さえたり引っ張ったりして、マッサージヘッドの背板に露出する高さを調整することができ、
マッサージヘッド又は蝶形ナットを引き、ばねを圧縮し、スクリューを上下又は左右にスライドさせ、Ｔ形溝においてマッサージヘッドの背板における位置を調整することができることを特徴とする、単点押し付けマッサージ装置。
【請求項２】
単点押し付けマッサージ装置に１つのマッサージヘッドのみが取り付けられており、マッサージヘッドの高さが一定であってもよく、蝶形ナットを捻じることにより高さを調整してもよいことを特徴とする、請求項1に記載の単点押し付けマッサージ装置。
【請求項３】
単点押し付けマッサージ装置のマッサージヘッドが作動時に固定状態であり、固定する位置が必要に応じて背板のトラックにおいて調整でき、固定する方式として、ばねの張力でマッサージヘッドをトラックに支えることを特徴とする、請求項1に記載の単点押し付けマッサージ装置。
【請求項４】
マッサージヘッドが背板において移動するトラックはＴ形であることを特徴とする、請求項1に記載の単点押し付けマッサージ装置。